(57)【要約】【課題】シャッターカーテンの側部に避難扉を併設するシャッター装置において、ガイドレールを可動式として、シャッターカーテンの上下動に連動して開口部上方に位置する水平姿勢から垂下姿勢に揺動変姿する構成とするとともに、避難扉が不用意に開放しないように構成する。【解決手段】ガイドレール６を、シャッターカーテン１の表裏面をガイドする前後一対のガイド片７、８で構成する一方、これらガイド片７、８の上端部を開口部上方に軸支して、シャッターカーテン１の上下動に連動して開口部上方に位置する水平姿勢から垂下姿勢に揺動変姿する構成とし、避難扉３の戸先に、没入自在な状態で突出するラッチ１５ａを、ガイドレール６の垂下姿勢で、かつ避難扉３が閉鎖したときに、後方ガイド片８のシャッターカーテンガイド面８ａに係止させる構成とする。【選択図】        図２
2004150094.tif 000002
【特許請求の範囲】
【請求項１】
開口部を上下動して全開姿勢から全閉姿勢に変姿するシャッターカーテンの側部に避難扉を開閉自在に併設するにあたり、シャッターカーテンの移動案内をする避難扉側のガイドレールを、シャッターカーテンの表裏面をガイドする前後一対のガイド片で構成する一方、これらガイド片の上端部を開口部上方に軸支して、シャッターカーテンの上下動に連動して開口部上方に位置する水平姿勢から垂下姿勢に揺動変姿する構成とし、前記避難扉とガイドレールとのあいだには、ガイドレールが垂下姿勢で、かつ避難扉が閉鎖したときに互いに係止して、避難扉の開放方向への移動規制をするための係合部と、該係合部を係止する係合受け部とが形成されている建築用シャッター装置。
【請求項２】
請求項１において、係合部は避難扉の戸先に形成され、係合受け部はガイドレールに形成されている建築用シャッター装置。
【請求項３】
請求項２において、係合受け部は、ガイド片のシャッターカーテンガイド面である建築用シャッター装置。
【請求項４】
請求項２において、係合受け部は、ガイド片の避難扉側端面に形成された係合凹部である建築用シャッター装置。
【請求項５】
請求項１乃至４において、避難扉の戸先には、ガイドレールを構成する一対のガイド片の対向間隙を塞ぐための戸先体が設けられるものとし、該戸先体とガイドレールとのあいだは、各ガイド片にそれぞれ配した気密材により封止されている建築用シャッター装置。
【請求項６】
請求項１乃至５において、避難扉は、四周において気密材を介して封止されている建築用シャッター装置。
【発明の詳細な説明】
【０００１】
【発明の属する技術分野】
本発明は、ビル、工場等の建築物の開口部や大部屋、地下通路等に防煙区域等を形成するために設けられる建築用シャッター装置の技術分野に属するものである。
【０００２】
【従来の技術】
一般に、この種建築用シャッター装置のなかには、大空間やエレベーターホールに建付けられ、シャッターカーテンの閉鎖により大空間を複数の区画に仕切ったり、エレベーターホール近傍を仕切って防火、防煙区画を形成し、類焼を防いで被害の拡大を抑制する防火、防煙シャッターが知られている。このような防火、防煙シャッター装置において、防火、防煙機能を備えたシャッターカーテンと、該シャッターカーテンに隣接して避難扉を開閉自在に設け、シャッターカーテンの閉鎖時に避難しやすいようにしたものがある（例えば、特許文献１参照。）。そして、このものは、通常時においては、シャッターカーテンが上方に巻取られて全開姿勢となるとともに避難扉が開放され、大開口部が形成されるようになっている。しかるにこのものでは、シャッターカーテンの移動案内をするための避難扉側のガイドレールが、避難扉の戸先側に一体的に形成されたものとなっている。このため、シャッター装置を閉鎖しようとした場合、避難扉を予め閉鎖させて所定の全閉姿勢にセットした後、シャッターカーテンを閉鎖させるという手順となるため、開口部を全閉状態にするために必要な時間が長くなってしまうという問題があった。
そこで、シャッターカーテンの移動案内をするガイドレールを、シャッターカーテンの表裏面をガイドする前後一対のガイド片により構成する一方、これらガイド片の上端部を開口部上方に軸支して、シャッターカーテンの上下動に連動して開口部上方に位置する水平姿勢から垂下姿勢に揺動変姿するように構成し、シャッターカーテンの全開姿勢では、ガイドレールが開口部に残らないようにするとともに、シャッターカーテンと避難扉とを同時的に閉鎖することができるように構成したものが提唱されている（例えば、特許文献２参照。）。
【０００３】
【特許文献１】
実開昭４８−８０５５号公報
【特許文献２】
特開２００２−２５０１８６号公報
【０００４】
【発明が解決しようとする課題】
ところで、シャッター装置により仕切られた区画間に気圧差が生じ、避難扉に面圧が作用したような場合では、避難扉は圧力差に基づいて前後方向何れかに揺動しようとする。しかるに、前記特許文献２の避難扉は、異状検知器等の検知に伴い自閉する構成であ、弾機の付勢力を受けた状態でシャッターカーテンに隣接する開口部を閉鎖している。このため、避難扉を開放方向に揺動させるような気圧差が避難扉に作用した場合に、前記気圧差が弾機の付勢力を上回るようなことがあると、避難扉は開放方向に揺動してしまうことになって問題があり、ここに本発明が解決しようとする課題があった。
【０００５】
【課題を解決するための手段】
本発明は、上記の如き実情に鑑み、これらの課題を解決することを目的として創作されたものであって、開口部を上下動して全開姿勢から全閉姿勢に変姿するシャッターカーテンの側部に避難扉を開閉自在に併設するにあたり、シャッターカーテンの移動案内をする避難扉側のガイドレールを、シャッターカーテンの表裏面をガイドする前後一対のガイド片で構成する一方、これらガイド片の上端部を開口部上方に軸支して、シャッターカーテンの上下動に連動して開口部上方に位置する水平姿勢から垂下姿勢に揺動変姿する構成とし、前記避難扉とガイドレールとのあいだには、ガイドレールが垂下姿勢で、かつ避難扉が閉鎖したときに互いに係止して、避難扉の開放方向への移動規制をするための係合部と、該係合部を係止する係合受け部とが形成されているものである。
そして、このようにすることにより、避難扉はガイドレールと係止することで移動規制を受け、避難扉の閉鎖状態が維持されて不用意に開放することがないようにできる。
このものにおいて、本発明の係合部は避難扉の戸先に形成され、係合受け部はガイドレールに形成されているものとすることができ、このようにすることにより、避難扉の開放作動を、戸先の係合受け部を解除操作しながらの作動とすることができる。
さらに、このものにおいて、本発明の係合受け部は、ガイド片のシャッターカーテンガイド面であるものとすることができ、このようにすることにより、専用の係合受け部をガイドレールに形成する必要がなくなって、部材の兼用化、構造の簡略化を果せる。
また、このものにおいて、本発明の係合受け部は、ガイド片の避難扉側端面に形成された係合凹部であるものとすることができる。
さらにまた、このものにおいて、本発明の避難扉の戸先には、ガイドレールを構成する一対のガイド片の対向間隙を塞ぐための戸先体が設けられるものとし、該戸先体とガイドレールとのあいだは、各ガイド片にそれぞれ配した気密材により封止されているものとすることができ、このようにすることにより、前後一対のガイド片とシャッターカーテンとのあいだの隙間からの煙の防煙を性能を高めることができる。
また、このものにおいて、本発明の避難扉は、四周において気密材を介して封止されているものとすることができ、このようにすることにより、シャッター装置の防煙性能を向上させることができる。
【０００６】
【発明の実施の形態】
次に、本発明の実施の形態を図１〜図１０に示す図面に基づいて説明する。
図面において、１は大開口部に複数並設された防煙シャッター装置を構成するシャッターカーテンであって、各シャッターカーテン１は、天井側に軸承される巻取り軸２に巻装されており、該巻取り軸２がブレーキ付の開閉機２ａの正逆駆動に基づいて正逆回転することに伴い巻取り、巻出しされて、天井部に収納されて開口部を開放する全開姿勢と開口部を閉鎖する全閉姿勢とのあいだを変姿するように設定されている。因みに、これらシャッターカーテン１は、図示しない操作スイッチの操作に基づいて開閉機２ｃが駆動し、開閉作動をする構成となっているが、シャッターカーテン１の全開姿勢において火災等が発生した場合では、異常検知手段の異常検知に伴いブレーキ解除がなされることにより、開閉機２ａに内装されるガバナの働きでシャッターカーテン１が自重閉鎖するように設定されている。
さらに、３は大開口部の一側部、本実施の形態では、図１において図面向かって右側部に設けられる避難扉であって、該避難扉３は、前記複数のシャッターカーテン１とともに大開口部を開閉するように構成されている。
【０００７】
まず、シャッタカーテン１の構成および作動機構について説明する。
前記シャッターカーテン１の最下端には座板４が連結されており、該座板４は、本体部４ａと、該本体部４ａの前後に位置し、後述する支持ローラ５が転動自在に走行するためのローラガイド４ｂとを備えて構成されている。尚、前記ローラガイド４ｂの左右両端部には、ストッパ片４ｃが上方に向けて突出形成されている。
【０００８】
６は各シャッターカーテン１の側縁部を移動案内するための可動式のガイドレールであって、該可動式のガイドレール６は大開口の中間部に配されるものであり、避難扉３に隣接するシャッターカーテン１については、左右両側縁部とも可動式のガイドレール６により移動案内を受けるように構成されている。
前記ガイドレール６は、間隙（後述する貫通ガイド）６ａを存して対向する前後一対のガイド片７、８を用いて構成され、各ガイド片７、８の対向面７ａ、８ａがシャッターカーテン１の前後面を移動案内（ガイド）するガイド面７ａ、８ａに構成されている。そして、各ガイド片７、８は、基端部（上端部）が支軸６ｂを介して天井部躯体側に揺動自在に軸承されており、後述するように、シャッターカーテン１の開閉作動に連動して天井部に収納される水平姿勢から、開口部に立設する垂下姿勢とのあいだを上下方向に揺動するように設定されている。また、ガイド片７、８の各先端部（下端部）には、互いに対向する状態で作動アーム９の基端部が枢支されるが、該枢軸は、前記支持ローラ５の支軸５ａに兼用されている。さらに、各作動アーム９の先端部には補助ローラ１０が軸承されており、該補助ローラ１０と前記支持ローラ５とは、後述するように、座板ローラガイド４ｂの上面を移動（転動）するように設定されており、このように、支持ローラ５が座板ローラガイド４ｂ状を走行することにより、ガイドレール６は座板４による支持を受ける状態となって、座板４の上下動に連動して上下方向に揺動するように構成されている。
尚、前記作動アーム９は、各ガイド片７、８が垂下姿勢となったとき、先端部が各ガイド片７、８の先端を超えない長さに設定されている。
【０００９】
さらに、ガイドレール６の各ガイド片７、８の先端部（下端部）には、躯体（床面）との固定をするためのロック手段（固定手段）Ｒがそれぞれ配されている。ここで、各ガイド片６、７に設けられるロック手段Ｒの構成は、それぞれ同様の構成であるので、ここではガイド片７に設けられるロック手段Ｒの説明を行い、ガイド片８に設けられるロック手段Ｒの説明を省略する。さらに、ロック手段Ｒはガイド片７の垂下姿勢を基準として位置関係を説明する。
前記ガイド片７を構成する前後面のあいだの空隙部には、前後一方の内側面部に一体固定される状態でロック手段Ｒを構成する支持ブラケット１１が設けられており、該支持ブラケット１１には、水平状の第一、第二支持面１１ａ、１１ｂが上下二段に配されるように折曲形成されている。そして、第一支持面１１ａには略円形状の第一貫通孔１１ｃが、第二支持面１１ｂには左右方向に長い長孔状の第二貫通孔１６ｄがそれぞれ二つづつ前後方向に並列する状態で穿設され、これら前後一対の第一、第二貫通孔１１ｃ、１１ｄには、前後一対の固定ロッド１１ｅがそれぞれ挿通支持されている。
【００１０】
前記第一貫通孔１１ｃは、各固定ロッド１１ｅを摺動自在に挿通する大きさに設定されているが、左右方向には僅かに長い長孔状に形成されている。そして、各固定ロッド１１ｅは、上端部に固着された抜止めピン１１ｆが第一貫通孔１１ｃ孔縁に係合することにより、各固定ロッド１１ｅの下方への抜け止めがなれるように構成されており、該抜け止め状態において、各固定ロッド１１ｅの下端部は第二貫通孔１１ｄを挿通してガイド片７の下端縁から突出するように設定されている。
また、第二貫通孔１１ｄは、各固定ロッド１１ｅを摺動自在に挿通すると共に、左右方向内側の孔端位置は前記第一貫通孔１１ｃと同位置であるが、左右方向外側の孔端位置は位置ズレして形成され、第一貫通孔１１ｃよりも左右方向に長い長孔に形成されている。これによって、第一、第二貫通孔１１ｃ、１１ｄに支持される各固定ロッド１１ａは、それぞれ前後方向への揺動は規制されるが、上側に位置する第一貫通孔１１ｃ孔縁による支持により、抜止めピン１１ｆ部位を支点として左右方向外側（上下方向上側）への揺動が許容されるように構成されている。そして、各固定ロッド１１ｅは、各貫通孔１１ｃ、１１ｄの左右方向内側の孔縁に係合してガイド片７に略平行となり、下端部がガイド片７下端縁より下方に突出する係合姿勢から、各固定ロッド１１ｅの下端部が第二貫通孔１１ｄの外側孔縁に係合してガイド片７に対して傾斜し、下端部がガイド片７下端縁よりも上位に位置する解除姿勢とのあいだを揺動するように構成されている。
さらに、各固定ロッド１１ｅの中間部は、引張り弾機１１ｇにより、各固定ロッド１１ｅを係合姿勢を維持するように付勢され、ガイド片７の姿勢に拘わらず、常時係合姿勢を維持するように設定されている。
【００１１】
一方、１２はロック手段Ｒを構成するラッチ受けボックスであって、該ラッチ受けボックス１２には、各固定ロッド１１ａが係合する係合孔１２ａが開設されるが、該係合孔１２ａは、前記一対の固定ロッド１１ｅが垂下姿勢となっている状態での前後方向中間部に対向して設けられ、かつ、左右方向に長い長孔に形成されている。
そして、ロック手段Ｒは、後述するように、ガイド片７が垂下姿勢に変姿することに伴い、係合姿勢に維持された固定ロッド１１ｅが床面に当接するが、このとき、固定ロッド１１ｅは、引っ張り弾機１１ｇの付勢力に抗して上方に没入した状態となるように設定されている。この状態において、ガイド片７が前後方向に振れのない状態で垂下姿勢になった場合では、各固定ロッド１１ｅは係合孔１２ａに対向することはないが、ガイド片７が前後方向に僅かに変位が生じることにより、対応する側の固定ロッド１１ｅが係合孔１２ａに対向し、引っ張り弾機１１ｇの付勢力を受けて係合孔１２ａに落ち込んで係合（躯体側とのロック、固定）するように設定されている。これに対し、ロック手段Ｒのロック解除は、係合孔１２ａに落ち込んでいる固定ロッド１１ａが、ガイド片７が垂下姿勢から水平姿勢への変姿を開始する過程において係合孔１２ａの孔縁に係合することにより、固定ロッド１１ｅが係合姿勢から次第に解除姿勢に変姿することにより、係合孔１２ａから脱出するように設定されている。このように、ロック手段Ｒは、躯体側とのロック、ロック解除がガイドレール６の揺動変姿に伴い自動的になされるように設定されている。
ここで、本実施の形態では、ガイドレール６を構成する前後ガイド片７、８の両者にロック手段Ｒが設けらているが、ガイドレール６は両ガイド片七、八を連結する部材が設けられているため、何れか一方のガイド片７または８をロックする構成とすることもできる。
【００１２】
そして、シャッターカーテン１が天井部に収納される全開姿勢において、ガイドレール６は、各ガイド片７、８の支持ローラ５がまぐさ部に位置する前後の座板ローラガイド４ｂに支持されることにより下動規制されており、これによってガイドレール６は水平姿勢となって天井部に収納されている。このとき、前記補助ローラ１０と支持ローラ９とは、ともに座板ローラガイド４ｂに支持されており、作動アーム９は基端部が左右方向内方、先端部（補助ローラ軸承部側）が左右方向外方に位置する略水平状の倒伏姿勢となっている。
この状態から、シャッターカーテン１が巻出されると、ガイドレール６は、支持ローラ５と補助ローラ１０とが座板ローラガイド４ｂを転動しながら徐々に垂下姿勢側に向けて下方揺動するが、これに伴い前記作動アーム９は倒伏姿勢の状態で、支持ローラ５と補助ローラ１０とがローラガイド４ｂ上面を左右方向外方側に向けて転動するように設定されている。このとき、シャッターカーテン１は、前記ガイド片７、８間に形成される貫通ガイド６ａを左右方向に貫通しており、このようにしてシャッターカーテン１は、次第に下方揺動するガイドレール６により移動案内されるように設定されている。
【００１３】
そして、シャッターカーテン１が全閉姿勢に近付くと、支持ローラ５は、ローラガイド４ｂの左右端から外れて座板４から自由になるが、これにタイミングを合わせるようにして、補助ローラ１０はローラガイド４ｂの端部位置に達し、ローラガイド４ｂとストッパ片４ｃとのあいだのコーナー部に当接し、これ以上の補助ローラ１０の左右方向外方への移動が規制されるように設定されている（図５（Ａ）参照）。そして、該移動規制がなされた以降は、ガイドレール６は、補助ローラ１０だけが座板４の支持を受ける状態、つまり、作動アーム９を介して座板４に支持される状態で下降揺動するように設定されており、このとき、作動アーム９は次第に起立して、ガイドレール６は略垂下姿勢となるように設定されている（図５（Ｂ）参照）。
尚、ガイドレール６は、垂下姿勢となることに伴い、前述したように、前記前後一対の固定ロッド１１ｅのうちの何れか一方がラッチ受けボックス１２の係合孔１２ａに係合してロックされ、移動規制を受けるように設定されている。
また、この状態において、シャッターカーテン１は全閉状態となる少し前位置に位置しており、これによって、座板４の下面と躯体床面とのあいだが空気流通用の隙間として機能し、これ以降、さらなるシャッターカーテン１の閉鎖作動は、シャッターカーテン１への風圧に基づく負荷を押えた状態でなされるように設定されており、この状態で全閉姿勢となるように設定されている（図５（Ｃ）参照）。このとき、座板４の下降に伴い、補助ローラ１０は座板ストッパ片４ｃから離間して作動アーム９は自由垂下姿勢となるように設定されている。
【００１４】
これに対し、全閉姿勢のシャッターカーテン１を開放させる場合について説明する。
座板４が上動を開始すると、自由垂下状態の作動アーム９の補助ローラ１０がローラガイド４ｂに当接し、ガイドレール６は作動アーム９を介して座板４に支持され、この状態でガイドレール６が持ち上げられるように設定されている。このとき、座板４の上動により作動アーム９は自由垂下状態から次第に倒伏姿勢となるが、ローラガイド４ｂにはストッパ片４ｃ側ほど低位となる傾斜ピース４ｄが形成されており、座板４の上動に伴い、補助ローラ１０はストッパ片４ｃ側に誘導されることにより、作動アーム９は、補助ローラ１０が左右方向外方に位置するような倒伏姿勢となるように誘導されるように設定されている。この状態において、ガイドレール６は上方揺動を開始することになるが、ガイドレール６を躯体側にロックしている固定ロッド１１ｅは、前述したように、ガイドレール６が水平姿勢に向けて揺動を開始することで解除姿勢となり、係合孔１２ａから脱出してロックが解除されるようになっている。このように、固定ロッド１１ｅによるロック解除がなされ、さらにシャッターカーテン１が巻取られる（上動する）と、支持ローラ５は前記倒伏姿勢となって座板ローラガイド４ｂ状を走行するようになり、これ以降の座板４の上動では、ガイドレール６は、作動アーム９を介する状態から支持ローラ５を介して座板４からの支持を受け、この状態でシャッターカーテン１が開放され、シャッターカーテン１が全開姿勢になることに伴いガイドレール６は前記水平姿勢に変姿するように設定されている。
【００１５】
つぎに、前記避難扉３の構成および作動機構について説明する。
前記避難扉３は、一側（吊元側であって戸尻）が大開口部一側部の躯体に対して、図示しない枢軸を介して開閉揺動自在に枢支されており、避難扉３が躯体側面に凹設された収納部Ｂに位置して開口部を開放する全開姿勢からシャッターカーテン１と隣接する位置の開口部を閉鎖する全閉姿勢とのあいだを、略９０度の角度範囲において揺動変姿するように設定されている。そして、避難扉３は、前後一対の板面３ａ、３ｂのあいだに断熱材等のコア材が介装されたものに構成されており、耐熱性能が高められている。さらに、本実施の形態の避難扉３は、一側部に位置し、避難扉３の閉鎖方向に揺動させることで開放する開き戸式の子扉１３が図示しない枢軸を介して開閉自在に枢支されており、これによって、避難扉３を閉鎖した状態であっても、子扉１３を開放することによって避難路が形成されるように構成されている。
【００１６】
さらに、避難扉３の戸先には、垂下姿勢となったガイドレール６の両ガイド片７、８に干渉して両ガイド片７、８の対向間隙を塞ぐべく、避難扉３板厚方向寸法が大きく形成された戸先体１４が一体的に連結されている。そして、この戸先体１４の上下方向中間部であって、一般的な人が手の届きやすい位置には、本発明の係合部に相当するラッチ１５ａを有したラッチユニット１５が一体的に設けられている。
つまり、前記ラッチユニット１５のラッチ１５ａは、戸先体１４の戸先側端面１４ｃから出没自在になるように構成されているが、該ラッチ１５ａは、戸先側端面１４ｃの前後方向後方部位に位置して設けられ、垂下姿勢となったガイドレール６の後方ガイド片８のガイド面８ａに対し、前後方向に重なり合う状態で近接対向する位置関係となっている。さらに、ラッチユニット１５は、戸先体１４の両面板１４ａ、１４ｂ間に支架されるとともに、前記ラッチ１５ａに連動連結される支軸１５ｂ、戸先体１４の両板面１４ａ、１４ｂに沿って回動自在に設けられ、前記支軸１５ｂを回転操作するためのラッチハンドル１５ｃと、ラッチ１５ａと支軸１５ｂとのあいだを連繋してラッチ１５ａを出没せしめる出没機構１５ｄとを備えて構成されている。そして、前記ラッチ１５ａは、ラッチハンドル１５ｃの操作がなされない通常状態では、出没機構１５ｄを構成する付勢弾機（図示せず）の付勢力を受けて戸先側端面１４ｃから突出する施錠姿勢を維持する構成となっており、ラッチハンドル１５ｃを回転操作することに伴い支軸１５ｂを回転させた場合に、戸先側端面１４ｃから戸先体１２内に没入する解錠姿勢となるように設定されている。
尚、ラッチ１５ａは、前方ほど突出量が少なくなる傾斜ガイド面１５ｅが形成されている。
【００１７】
さらに、前記避難扉３には図示しない自動閉鎖機構が設けられており、避難扉３が躯体収納部Ｂに位置する全開姿勢においては、図示しないロック機構を介して全開姿勢を維持するように設定されている。そして、前記ロック機構は、火災等の発生により異常検知手段の異常検知がなされることに伴いロック解除されるように設定されており、該ロック解除状態となることにより、避難扉３は自動的に閉鎖するように設定されている。
尚、避難扉３が全閉姿勢となっている状態において、避難扉３の上縁部は開口部上方の躯体に一体的に配されたドア係止片１６に当接しており、避難扉３のこれ以上の閉鎖方向への揺動を規制するように設定されている。
【００１８】
このように、シャッターカーテン１と避難扉３とを備えて構成された防煙シャッター装置において、火災等が発生して異常検知手段の異常検知がなされると、前述したように、開閉機２ａのブレーキ解除がなされ、シャッターカーテン１がガイドレール６とともに下降することになるが、本実施の形態では、避難扉３のロック機構のロック解除も略同時的になされるように設定されている。因みに、ロック機構のロック解除とブレーキ装置２ａのブレーキ解除とのタイミングは、本実施の形態のように、必ずしも同時になされる必要はなく、ブレーキ解除の後、所定時間経過後に避難扉３のロック機構をロック解除するような構成とすることもでき、シャッター装置の設置環境にあわせて適宜タイミングを設定することができる。
【００１９】
そして、このように、開閉機２ａのブレーキ解除と避難扉３のロック機構のロック解除とが略同時的になされた場合、ガイドレール６の垂下姿勢への変姿に先行して避難扉３が全閉姿勢に変姿するようになっている。このとき、避難扉３には、後方ガイド片８と前後方向に重なる位置関係となったラッチ１５ａがガイドレール６側に向けて突出状に配されているが、避難扉３の方が先行して全閉姿勢となるため、後行して垂下するガイドレール６がラッチ１５ａに干渉してしまうようなことはなく、後方ガイド片８の垂下姿勢への変姿は何ら損なわれることはないように設定されている。
因みに、ガイドレール６が先行して垂下姿勢となり、後行して避難扉３が全閉姿勢となる場合では、ラッチ１５ａは後方ガイド片８の避難扉３側の端面に干渉することになるが、この場合に、ラッチ１５ａは出没自在な構成であり、かつ、前面に傾斜ガイド面１５ｅが形成されているため、ラッチ１５ａは、後方ガイド片８の避難扉３側の端面により押しやられて強制的な没入作動をしながら全閉姿勢に変姿するように設定されており、この場合でも、本構成を適用できる。
尚、避難扉３を全閉姿勢から全開姿勢に復帰するには、避難扉３の前後何れの側からも開放することができ、ラッチユニット１５のラッチハンドル１５ｃを回動させながら避難扉３を開放方向に押しやることで開放できるように構成されている。
【００２０】
そして、このようにしてシャッターカーテン１および避難扉３が開口部を閉鎖した状態において、シャッターカーテン１および避難扉３により仕切られた部位に気圧差がある場合、シャッターカーテン１と避難扉３とに圧力が作用して前後方向何れかに振れようとするが、ガイドレール６については各ガイド片７、８がそれぞれ前後一対の固定ロッド１１ｅにより固定されて移動規制がなされた状態となっている。一方、避難扉３については、前後方向後方、即ち、避難扉３が全開姿勢となる側へ揺動しようとした場合、戸先体１４の戸先側端面１４ｃから突出するラッチ１５ａが、固定ロッド１１ｅにより移動規制を受けた後方ガイド片８のガイド面８ａに係止することになり、該ガイド面８ａがラッチ１５ａの係合受け部として機能して、避難扉３の開放方向（後方）への移動規制をするように設定されている。また、避難扉３の前後方向前方への揺動は、前述したように、避難扉３がドア係止片１６に係止することにより移動規制されており、これによって、避難扉３は、前後方向何れの方向へも移動規制されることになって、全閉姿勢から開放してしまうような不具合がないように構成されている。
【００２１】
さらに、本実施の形態のシャッター装置は防煙シャッターとしての機能を充分に発揮するべくつぎのような配慮がなされている。
つまり、避難扉３の下端縁部前板面３ａ側には、床面とのあいだを左右方向全域にわたって封止するための気密材１７が設けられている。また、開口部上方に設けられたドア係止片１６には、避難扉前板面３ａの上縁部とのあいだを左右方向全域にわたって封止するための気密材１８が設けられ、開口部一側部には、避難扉前板面３ａの一側縁部とのあいだを上下方向全域にわたって封止するための気密材１９が設けられている。さらに、避難扉３を構成する戸先体１４部位においては、垂下姿勢の前方ガイド片７の避難扉３側端面に上下方向に長い気密材２０と、後方ガイド片８のガイド面８ａの避難扉３側端部に上下方向に長い気密材２１とが設けられている。これによって、躯体と避難扉３とのあいだの隙間から侵入しようとする煙に対する封止がなされるうえ、シャッターカーテン１と前後のガイド片７、８とのあいだの貫通ガイド６ａとのあいだから侵入しようとする煙に対する封止がなされて、さらなる防煙機能の向上が計れるように構成されている。
尚、気密材１８、１９、２０は、図１０に示すような形状となっており、三次元的な封止をするようになっており、気密材１７、２１とは形状が異なるが、これら気密材１７、１８、１９、２０、２１は、それぞれの隙間形状に対応したものが適宜採用されている。
また、２２は開口部他側部に設けられ、シャッターカーテン１の移動案内をするための固定式のガイドレールであり、２３、２３ａは避難扉３と子扉１３とのあいだを封止するための気密材である。
【００２２】
叙述の如く構成された本発明の実施の形態において、シャッターカーテン１と避難扉３とを全開姿勢としたときに、ガイドレール５は天井側に収納されているため、邪魔のない大開口を確保することができ、また、火災等の異常が発生するとシャッターカーテン１と避難扉３とが閉鎖されて防火、防煙区域を作ることができるものであるが、この場合に、前記ガイドレール６は、シャッターカーテン１が閉鎖作動をした場合に、その閉鎖ガイドをしながら自ら垂下姿勢に変姿することになっており、従来のガイドレールを避難扉に設けたもののように、避難扉３をシャッターカーテン１に先行して閉鎖する必要がなく、シャッターカーテン１と避難扉３とを略同時的に閉鎖作動を開始することができる。そして、このものでは、避難扉３は、全閉姿勢となった状態において、前板面３ａがドア係止片１６に当接している一方、戸先体１４の戸先側端面１４ｃにはラッチ１５ａが突出し、該ラッチ１５ａが後方ガイド片８のガイド面８ａに前後方向に重なる状態で近接対向している。このため、避難扉３が開閉方向（前後方向）に揺動しようとしたとき、閉鎖方向についてはドア係止片１６との当接によって移動規制を受け、開放方向についてはラッチ１５ａが、ガイドレール６を構成する後方ガイド片８のガイド面８ａに係止して移動規制を受けるようになっている。この結果、シャッターカーテン１と避難扉３とにより仕切られた空間に、大きな気圧差が生じて避難扉３が揺動しようとしたとしても、避難扉３は開閉方向両方向に移動することが規制されることになって開口部を閉鎖状態に維持することができ、防煙性能の高い防煙シャッター装置とすることができる。
【００２３】
しかも、本発明が実施された形態において、係合部であるラッチ１５ａは避難扉３側に設けられ、係合受け部であるガイド面８ａはガイドレール６側に設けられている。このため、全閉姿勢の避難扉３を全開姿勢に復帰する場合では、避難扉３に設けられたラッチユニット１５のラッチハンドル１５ｃを回転操作しながら、該操作している状態で押しやることで避難扉３を開放させることができて、操作性に優れるうえ迅速な操作をすることができる。
【００２４】
さらに、このものでは、ラッチ１５ａを係止するための係合受け部として、ガイドレール６を構成する後方ガイド８のガイド面８ａをそのまま利用しているため、ガイドレール６に係合受け部を特別に形成する必要が全くなく、部材の兼用化が果せて構成の簡略化を実現できる。
【００２５】
このように、本発明が実施された形態のものでは、避難扉３は、閉鎖方向へはドア係止片１６と当接し、開放方向へはラッチ１５ａがガイドレール６に係止することでそれぞれ移動規制を受けるが、この場合に、ガイドレール６の各ガイド片７、８は、垂下姿勢への変姿に伴いそれぞれ固定ロッド１１ｅがラッチ係合ボックス１２の係合孔１２ａに係合して躯体側にロック（固定）される状態となっている。このため、避難扉３は、ガイドレール６を介して躯体側から移動規制を受けることになり、閉鎖姿勢の維持を強固に保持することができる。
【００２６】
しかも、このものでは、避難扉３は下縁部、上縁部、そして左右の縁部がそれぞれ気密材１７、１８、１９、２０により封止されているため、防煙性能が高められるが、さらにこのものにおいて、避難扉３のガイドレール６隣接側である戸先体１４部位においては、前方ガイド片７の気密材２０だけでなく、後方ガイド片８とのあいだの気密材２１によりそれぞれ封止される構成となっているため、両ガイド片７、８のあいだに形成される貫通ガイド６ａとシャッターカーテン１との隙間から侵入しようとする煙に対しても侵入防止が計れて、より防煙性能を高めることができる。
【００２７】
尚、本発明は前記実施の形態に限定されないことは勿論であって、避難扉に設けた係合部を、ガイドレールを構成するガイド片の避難扉側端面に係合凹部を形成し、該係合凹部に係止するような構成とすることも可能である。
【図面の簡単な説明】
【図１】シャッターカーテンと避難扉とが全閉姿勢となっている状態を示す一部概略正面図である。
【図２】ガイドレールと避難扉との位置関係を説明する概略平面図である。
【図３】図２におけるＸ−Ｘ断面図である。
【図４】シャッターカーテンの全開姿勢を説明する側面図である。
【図５】図５（Ａ）、（Ｂ）、（Ｃ）はそれぞれシャッターカーテンとガイドレールとの連動状態を説明するパターン図である。
【図６】図５（Ｂ）におけるシャッターカーテンとガイドレールの位置関係を説明するガイドレール部の平面図である。
【図７】図７（Ａ）、（Ｂ）は防煙シャッター装置の下端部における正面図、側面図である。
【図８】図８（Ａ）、（Ｂ）、（Ｃ）、（Ｄ）はそれぞれラッチユニットのラッチハンドル正面図、側面図、平面図、正面図である。
【図９】避難扉の封止状態を説明する拡大平面図である。
【図１０】気密材の封止状態を説明する避難扉上部の側面断面図である。
【符号の説明】
１    シャッターカーテン
２ａ    開閉機
４    座板
４ｂ    ローラガイド
５    支持ローラ
６    ガイドレール
７    前方ガイド片
７ａ    ガイド面
８    後方ガイド片
９    作動アーム
１０    補助ローラ
１１    支持ブラケット
１１ｅ    固定ロッド
１２    ラッチ受けボックス
１３    子扉
１４    戸先体
１５    ラッチユニット
１５ａ    ラッチ
１６    ストッパ片
１７    気密材
【図１】
2004150094.tif 000003
【図２】
2004150094.tif 000004
【図３】
2004150094.tif 000005
【図４】
2004150094.tif 000006
【図５】
2004150094.tif 000007
【図６】
2004150094.tif 000008
【図７】
2004150094.tif 000009
【図８】
2004150094.tif 000010
【図９】
2004150094.tif 000011
【図１０】
2004150094.tif 000012